(57)【要約】      （修正有）【課題】力を入れすぎた時又は大きな障害物に接触した時に、バネの緩衝作用により障害物を回避することができ、ショベルヘッドの破損を防ぐことができると同時に、使用快適度を高めることができ、長時間の使用に適するショベル柄補助持ち手を提供する。【解決手段】ショベル柄補助持ち手は、ショベル柄ａに連結可能な把持ロッド１及びスリーブ２を含む。スリーブは、把持ロッドの外周に伸縮可能に嵌合する。把持ロッドにはガイド軸１１が連結され、スリーブの側壁にはガイド軸の上下移動をガイドするガイド孔２１が形成されている。ガイド軸とスリーブとの間には、スリーブの最上部から離れる向きにガイド軸を始終付勢するためのバネ３が設けられている。【選択図】図４
0003223444.tif 000002
【実用新案登録請求の範囲】
【請求項１】
ショベル柄（ａ）に連結可能な把持ロッド（１）及びスリーブ（２）を含み、
前記スリーブ（２）は、前記把持ロッド（１）の外周に伸縮可能に嵌合し、
前記把持ロッド（１）にはガイド軸（１１）が連結されており、
前記スリーブ（２）の側壁には、前記ガイド軸（１１）の上下移動をガイドするガイド孔（２１）が形成されており、
前記ガイド軸（１１）と前記スリーブ（２）との間には、前記スリーブ（２）の最上部から離れる向きに前記ガイド軸（１１）を始終付勢するバネ（３）が設けられていることを特徴とする、
ショベル柄補助持ち手。
【請求項２】
前記バネ（３）は圧縮バネであり、前記圧縮バネの一端は前記ガイド軸（１１）に引っ掛けられており、他端は前記スリーブ（２）の最上部に引っ掛けられていることを特徴とする、
請求項１に記載のショベル柄補助持ち手。
【請求項３】
ロック部材（４）をさらに含み、前記ロック部材（４）は、前記把持ロッド（１）の最下部に設けられ、前記ショベル柄（ａ）の任意の位置に連結されて、ロックを行うことができることを特徴とする、
請求項１に記載のショベル柄補助持ち手。
【請求項４】
前記ロック部材（４）は、ロック筐体（４１）と、第１フック部を有する第１ロックフック（４１２）と、第２フック部を有する第２ロックフック（４２）と、ロックシャフト（４３）とを含み、
前記ロック筐体（４１）内には収容空洞（４１１）が形成され、
前記第１ロックフック（４１２）は前記ロック筐体（４１）に固定され、
前記第２ロックフック（４２）の中央部は、ピン（ｂ）を介して前記収容空洞（４１１）内にヒンジ結合され、
前記第１ロックフック（４１２）の前記第１フック部と前記第２ロックフック（４２）の前記第２フック部とは対向するように配されて、前記ショベル柄（ａ）を挟持するための挟み口（ｃ）を形成し、
前記ロックシャフト（４３）は、前記ロック筐体（４１）の側壁に螺接して前記収容空洞（４１１）内に挿入されて、前記第２ロックフック（４２）の尾部と連結され、
前記ロックシャフト（４３）を回転させることにより、前記第２ロックフック（４２）を前記ピン（ｂ）まわりに回動駆動して挟み口（ｃ）の大きさを調整することができることを特徴とする、
請求項３に記載のショベル柄補助持ち手。
【請求項５】
前記ロックシャフト（４３）の頭部には、ノブ（４３１）が設けられており、
前記ノブ（４３１）はその外側壁に、指で握るための第１粗面（４３１１）を有することを特徴とする、
請求項４に記載のショベル柄補助持ち手。
【請求項６】
前記第１ロックフック（４１２）及び前記第２ロックフック（４２）の内側壁には摩擦リブ（４４）が設けられ、
前記摩擦リブ（４４）はその内側壁に、前記ショベル柄（ａ）に当接する第２粗面（４４１）を有することを特徴とする、
請求項４に記載のショベル柄補助持ち手。
【請求項７】
前記ロック部材（４）は、連結部材（４５）を含み、前記連結部材（４５）は、前記把持ロッド（１）の最下部に回動可能に連結されて、固定部材（ｄ）により固定されることを特徴とする、
請求項３に記載のショベル柄補助持ち手。
【請求項８】
前記固定部材（ｄ）はボルト（ｄ１）及びナット（ｄ２）を含み、
前記把持ロッド（１）の最下部には、前記連結部材（４５）を差し込むための連結溝（１３）が形成されており、
前記連結溝（１３）の側壁には、第１回転孔（１３１）が形成されており、
前記連結部材（４５）の側壁には、前記第１回転孔（１３１）に対応するように第２回転孔（４５１）が形成されており、
前記第１回転孔（１３１）及び前記第２回転孔（４５１）が前記ボルト（ｄ１）と組み合わされることによって、前記把持ロッド（１）と前記連結部材（４５）とが回動可能に連結され、前記ナット（ｄ２）により固定されることを特徴とする、
請求項７に記載のショベル柄補助持ち手。
【請求項９】
前記把持ロッド（１）は中空構造を呈し、
前記把持ロッド（１）の側壁には、対称に配された取付孔（１２）が形成されており、
前記ガイド軸（１１）の両端は、２つの前記取付孔（１２）内にそれぞれ挿入されることを特徴とする、
請求項１から８のいずれか１項に記載のショベル柄補助持ち手。
【請求項１０】
前記スリーブ（２）の最上部には環状の把持部（２２）が設けられており、前記把持部（２２）は、逆三角形状を呈することを特徴とする、
請求項１から８のいずれか１項に記載のショベル柄補助持ち手。
【考案の詳細な説明】
【技術分野】
【０００１】
本考案は、農具の技術分野に関し、具体的には、ショベル柄に連結可能なショベル柄補助持ち手に関する。
【背景技術】
【０００２】
ショベルは、物を掬い取る、又は取り除くための道具とされ、塵取又は平板に似ていて、長い柄を持ち、多くは鉄製である。一般的なショベルは、ショベル柄と、ショベル柄に連結されたショベルヘッドとを含む。ショベル柄は把持するために用いられ、ショベルヘッドは物を掬い取る又は取り除くために用いられる。
【０００３】
ショベルを握りやすくするため、例えば中国実用新案第２０５３３６７４２号（登録番号ＣＮ２０１６２０１４５００８．１）に開示されている農業用ショベルのように、一般的には、ショベル柄の上方に補助持ち手が連結されている。このショベルは、持ち手と、伸縮ショベル柄と、ショベルヘッドとを含み、伸縮ショベル柄の一端は持ち手と連結され、持ち手から遠方側のショベル柄の一端はショベルヘッドに連結されている。
【０００４】
しかし、上述の持ち手を含む市販の補助持ち手は、ショベルに取り付けて使用すると、力を入れすぎた時又は大きな障害物に接触した時に、ショベルヘッドを破損する恐れがあり、さらには長時間の作業により腕の痛みや疲労を引き起こしやすい。
【考案の概要】
【考案が解決しようとする課題】
【０００５】
本考案が解決しようとする技術的課題は、既存技術の現状に鑑み、緩衝作用を有するショベル柄補助持ち手を提供することである。
【課題を解決するための手段】
【０００６】
上述の技術的課題を解決するために本考案が採用した技術的手段は、以下を特徴とするショベル柄補助持ち手である。ショベル柄補助持ち手は、ショベル柄に連結可能な把持ロッド及びスリーブを含む。スリーブは、把持ロッドの外周に伸縮可能に嵌合する。把持ロッドにはガイド軸が連結されている。スリーブの側壁には、ガイド軸の上下移動をガイドするガイド孔が形成されている。ガイド軸とスリーブとの間には、スリーブの最上部から離れる向きにガイド軸を始終付勢するバネが設けられている。
【０００７】
好ましくは、バネは圧縮バネであり、この圧縮バネの一端はガイド軸に引っ掛けられており、他端はスリーブの最上部に引っ掛けられている。当然、引張バネの方式を採用し、引張バネの一端をガイド軸に引っ掛け、他端をスリーブの最下部に引っ掛けてもよい。このような方法でも同様の目的を達成することができる。この方法を実現するには、スリーブを伸縮可能に把持ロッドの内部に嵌合することが必要である。
【０００８】
好ましくは、ショベル柄補助持ち手は、ロック部材をさらに含む。このロック部材は、把持ロッドの最下部に設けられ、ショベル柄の任意の位置に連結されて、ロックを行うことができる。ロック部材を設けることによって、ショベル柄補助持ち手のショベル柄における固定位置を調整することができ、さらにはショベル全体の長さを調整することができるので、異なる使用場面における使用ニーズに適応させることができる。
【０００９】
好ましくは、ロック部材は、ロック筐体と、第１フック部を有する第１ロックフックと、第２フック部を有する第２ロックフックと、ロックシャフトとを含む。ロック筐体内には収容空洞が形成されている。第１ロックフックはロック筐体に固定される。第２ロックフックの中央部は、ピンを介して収容空洞内にヒンジ結合される。第１ロックフックの第１フック部と第２ロックフックの第２フック部とは対向するように配されて、ショベル柄を挟むための挟み口を形成する。ロックシャフトはロック筐体の側壁に螺接して収容空洞内に挿入され、第２ロックフックの尾部と連結される。ロックシャフトを回転させて第２ロックフックをピンまわりに回動駆動することで、挟み口の大きさを調整することができる。
【００１０】
好ましくは、ロックシャフトの頭部にはノブが設けられており、ノブはその外側壁に、指で握るための第１粗面を有する。これにより、使用者がロックシャフトを回しやすい。
【００１１】
好ましくは、第１ロックフック及び第２ロックフックの内側壁には、摩擦リブが設けられており、この摩擦リブはその内側壁に、ショベル柄に当接する第２粗面を有する。これにより、挟み口によってショベル柄をしっかりと挟むことが容易になり、ショベル柄が滑るのを防ぐ。
【００１２】
好ましくは、ロック部材は連結部材を含む。この連結部材は、把持ロッドの最下部に回動可能に連結されて固定部材により固定される。これにより、把持ロッドとショベル柄との角度を調整可能にし、異なる使用場面における使用ニーズに適応させることができる。
【００１３】
好ましくは、固定部材はボルト及びナットを含み、把持ロッドの最下部には連結部材を差し込むための連結溝が形成されていて、この連結溝の側壁には第１回転孔が形成されており、これに対応するように、連結部材の側壁には第２回転孔が形成されている。第１回転孔及び第２回転孔がボルトと組み合わせられることによって、把持ロッドと連結部材とが回動可能に連結され、ナットにより固定される。これにより、ショベル柄補助持ち手とショベル柄との回動可能な連結及びロックを実現することができる。
【００１４】
好ましくは、この把持ロッドは中空構造を呈し、把持ロッドの側壁には対称に配された取付孔が形成され、この２つの取付孔にガイド軸の両端がそれぞれ挿入される。これにより、ガイド軸を取り付けやすい。
【００１５】
好ましくは、スリーブの最上部には環状の把持部が設けられ、この把持部は逆三角形状を呈する。これにより、使用者が力を加えやすい。
【考案の効果】
【００１６】
既存技術と比較して、本考案の特徴は以下のとおりである。ガイド軸とガイド孔とが協働することによって、把持ロッドとスリーブとの間の伸縮運動を実現することができ、また、バネが協働することによって位置決め及び緩衝の作用を奏することができる。このショベル柄補助持ち手をショベルに適用して使用すると、力を入れすぎた時又は大きな障害物に接触した時に、バネの緩衝作用によって障害物を回避することができ、ショベルヘッドの破損を防ぐことができる。それと同時に、使用快適度を高めることができ、長時間の使用に適している。
【図面の簡単な説明】
【００１７】
【図１】本考案の実施例の斜視構造模式図である。
【図２】図１の斜視分解模式図である。
【図３】図１の正面図である。
【図４】図３の断面図である。
【考案を実施するための形態】
【００１８】
以下、図面と実施例を結びつけながら、本考案についてさらに詳しく説明する。
【００１９】
例えば図１から図４に示すのは、本考案に係るショベル柄補助持ち手の１つの好ましい実施例である。このショベル柄補助持ち手は、把持ロッド１と、スリーブ２と、バネ３と、ロック部材４とを含んでいる。
【００２０】
ロック部材４は、把持ロッド１の最下部に設けられ、ショベル柄ａの任意の位置に連結されて、ロックを行うことができる。スリーブ２は、把持ロッド１の外周に伸縮可能に嵌合する。把持ロッド１は中空構造を呈し、把持ロッド１の側壁には、対称に配された取付孔１２が形成されている。この２つの取付孔１２内にガイド軸１１が挿入されており、スリーブ２の側壁には、このガイド軸１１の上下移動をガイドするガイド孔２１が形成されている。ガイド軸１１とスリーブ２との間にはバネ３が設けられ、スリーブ２の最上部から離れる向きにガイド軸１１を始終付勢している。ガイド軸１１とガイド孔２１とが協働することで、把持ロッド１とスリーブ２との間の伸縮運動を実現することができ、また、バネ３が協働することで、位置決め及び緩衝の作用を奏する。このショベル柄補助持ち手をショベルに適用して使用すると、力を入れすぎた時又は大きな障害物に接触した時に、バネ３の緩衝作用によって障害物を回避することができ、ショベルヘッドの破損を防ぐことができる。それと同時に、使用快適度を高めることができ、長時間の使用に適している。また、ロック部材４を設けることによって、ショベル柄補助持ち手のショベル柄ａにおける固定位置を調整することができ、さらにはショベル全体の長さを調整することができるので、異なる使用場面における使用ニーズに適応させることができる。また、使用者が力を加えやすくするため、スリーブ２の最上部には、環状の把持部２２が設けられており、この把持部２２は逆三角形状を呈す。
【００２１】
本実施例では、バネ３は圧縮バネであり、この圧縮バネの一端はガイド軸１１に引っ掛けられており、他端はスリーブ２の最上部に引っ掛けられている。当然、引張バネの方式を採用し、この引張バネの一端をガイド軸１１に引っ掛けて、他端をスリーブ２の最下部に引っ掛けてもよい。このような方法でも、同様の目的を達成することができる。この方法は、スリーブ２を把持ロッド１の内部に伸縮可能に嵌合することによって実現される。
【００２２】
ロック部材４の具体的な構造は、ニーズに応じて設定することができる。本実施例では、ロック部材４は、ロック筐体４１と、第１フック部を有する第１ロックフック４１２と、第２フック部を有する第２ロックフック４２と、ロックシャフト４３とを含む。ロック筐体４１の組立及び金型製作を容易にするために、ロック筐体４１は第１筐体４１ａと第２筐体４１ｂとを含み、第１筐体４１ａと第２筐体４１ｂとが互いに組み合わされて連結されることで、収容空洞４１１が形成される。第１ロックフック４１２は、ロック筐体４１に固定される。第２ロックフック４２の中央部は、ピンｂを介して収容空洞４１１内にヒンジ結合される。第１フック部は収容空洞４１１から露出している。第１ロックフック４１２の第１フック部と第２ロックフック４２の第２フック部とは対向するように配されて、ショベル柄ａを挟持するための挟み口ｃを形成している。ロックシャフト４３は、ロック筐体４１の側壁に螺接して収容空洞４１１に挿入され、第２ロックフック４２の尾部と連結される。ロックシャフト４３を回転させることで、第２ロックフック４２をピンｂまわりに回動駆動して、挟み口ｃの大きさを調整することができる。ロックシャフト４３を回転させることにより、ロックシャフト４３とロック筐体４１との相対位置を調整することができ、さらには第２ロックフック４２を回動させて、第１ロックフック４１２と協働させることで挟み口ｃを形成してショベル柄ａをしっかり挟む。これにより、把持ロッド１とショベル柄ａとの連結及びロックを実現する。使用者がロックシャフト４３を回しやすいように、ロックシャフト４３の頭部にはノブ４３１が設けられていて、このノブ４３１はその外側壁に、指で握るための第１粗面４３１１を有する。挟み口ｃによってショベル柄ａをしっかりと挟んで滑らないようにするため、第１ロックフック４１２及び第２ロックフック４２の内側壁には摩擦リブ４４が設けられている。この摩擦リブ４４は、その内側壁に、ショベル柄ａと当接する第２粗面４４１を有する。
【００２３】
また、ロック筐体４１の上方には連結部材４５が設けられており、この連結部材４５は把持ロッド１の最下部に回動可能に連結されて、固定部材ｄにより固定される。これにより、把持ロッド１とショベル柄ａとの角度を調節可能にし、異なる使用場面における使用ニーズに適応させることができる。具体的には、固定部材ｄは、ボルトｄ１及びナットｄ２を含み、把持ロッド１の最下部には、連結部材４５を差し込むための連結溝１３が設けられていて、この連結溝１３の側壁には第１回転孔１３１が形成されており、これに対応するように、連結部材４５の側壁には第２回転孔４５１が形成されている。第１回転孔１３１及び第２回転孔４５１とボルトｄ１とを組み合わせることにより、把持ロッド１と連結部材４５とが互いに回動可能に連結されて、ナットｄ２によって固定される。これにより、ショベル柄補助持ち手とショベル柄ａとの回動可能な連結及びロックを実現する。
【００２４】
本考案の動作原理は以下のとおりである。
【００２５】
（１）組立て：ノブ４３１を回して、ロックシャフト４３とロック筐体４１との相対位置を調整し、挟み口ｃの口径がある程度の大きさに広がるまで第２ロックフック４２を回動させ、ショベル柄ａを挟み口ｃ内に挿入する。その後、ショベル柄ａが固定されるまで、ノブ４３１を反対方向に回して挟み口ｃの口径を小さくする。
【００２６】
（２）調整：ショベルの長さを調整する必要がある時、又はショベル柄補助持ち手のショベル柄ａに対する周方向の位置を調整する必要がある時は、上述の操作を繰り返し、ノブ４３１を回して挟み口ｃを広げ、そのショベル柄ａにおける連結位置を調整する。そして、ノブ４３１を反対方向に回して挟み口ｃを狭め、ショベル柄ａを挟んで固定する。ショベル柄補助持ち手とショベル柄ａとの角度を調整する必要がある時は、まずナットｄ２を緩めてから、把持ロッド１を適切な角度になるまで回し、最後にナットｄ２を締める。
【００２７】
（３）使用：
＜１＞正常な状況では、バネ３の弾性力により、ガイド軸１１がガイド孔２１の底面に当接する。この時、スリーブ２は把持ロッド１の上部に嵌合しており、ショベル柄補助持ち手の長さは最も長くなる。
【００２８】
＜２＞力を入れすぎた時、又は大きな障害物に接触した時は、外力の作用によりバネ３が力を受けて圧縮し、バネ３の緩衝作用により障害物を回避することができ、ショベルヘッドの破損を防ぐことができる。それと同時に、使用の快適度を高めることができ、長時間の使用に適している。ガイド軸１１がガイド孔２１の最上面に当接する際、図４に示すように、この時、スリーブ２は把持ロッド１の中央部および上部に嵌合しており、ショベル柄補助持ち手の長さは最も短くなる。
【先行技術文献】
【特許文献】
【００２９】
【特許文献１】中国実用新案第２０５３３６７４２号
【図１】
0003223444.tif 000003
【図２】
0003223444.tif 000004
【図３】
0003223444.tif 000005
【図４】
0003223444.tif 000006